(57)【要約】【課題】  本発明は、物品等を撮影時に、撮影対象物に対する管理チェックを行ない、その結果を報知することが出来る技術を提供することを課題とする。【解決手段】  シャッターボタン５を半押し状態に操作するとタグリーダ／ライタ２は、撮影レンズ３方向に電波を送信し、撮影対象物が持つ電子タグから電子タグ情報を読み出す。電子タグ情報を用いて管理チェックを行ない、チェック結果を表示する。シャッターボタン５を押して撮影を行なうと撮影画像の画像データ、電子タグ情報及びチェック結果が対応付けられて記憶される。【選択図】      図１
2005223861.tif 000002
【特許請求の範囲】
【請求項１】
撮影対象物を撮影する撮影手段と、
電子タグが記憶している電子タグ情報を読み出す電子タグ読み出し手段と、
前記電子タグ読み出し手段が読み出した電子タグ情報を用いて管理チェックを行ない、結果を報知する報知手段と、
前記撮影手段による撮影画像の画像データ、前記電子タグ読み出し手段が読み出した前記電子タグ情報、及び前記管理チェックの結果に基づく情報を対応付けて記憶する画像記憶手段と
を備えることを特徴とする画像撮影装置。
【請求項２】
前記管理チェックの対象となる物品の識別情報を記憶する商品テーブル記憶手段を更に備え、
前記報知手段は、読み出した前記電子タグ情報内の識別情報に対応する識別情報が前記商品テーブル記憶手段に記憶されていたとき、前記管理チェックを行なうことを特徴とする請求項１に記載の画像撮影装置。
【請求項３】
前記商品テーブル記憶手段は、前記報知手段が前記管理チェックに用いる管理情報を前記識別情報と関連付けて記憶し、前記報知手段は、前記管理情報を用いて前記管理チェックを行なうことを特徴とする請求項２に記載の画像撮影装置。
【請求項４】
計時を行なう計時手段を更に備え、
前記管理チェックは期限のチェックであり、前記報知手段は、前記計時手段によって計時された日付と前記管理情報として記憶されている日付に対する情報とを比較することによって前記管理チェックを行なうことを特徴とする請求項３に記載の画像撮影装置。
【請求項５】
使用者による操作指示を受ける入力手段を更に備え、
前記入力手段によって使用者から第１の指示があると、前記電子タグ読み出し手段は前記電子タグ情報を読み出し、前記報知手段は、前記管理チェックを行って結果を報知することを特徴とする請求項１乃至４のいずれか１つに記載の画像撮影装置。
【請求項６】
前記入力手段によって使用者から前記第１の指示の後に第２の指示があると、前記撮影手段は撮影を行ない、前記画像記憶手段は、前記画像データ、前記電子タグ情報、及び前記管理チェックの結果に基づく情報を対応付けて記憶することを特徴とする請求項５に記載の画像撮影装置。
【請求項７】
画像撮影装置内で実行されるプログラムであって、
撮影対象物を撮影する機能と、
電子タグが記憶している電子タグ情報を読み出す機能と、
読み出した電子タグ情報を用いて管理チェックを行ない、結果を報知する機能と、
撮影画像の画像データ、前記読み出した電子タグ情報、及び前記管理チェックの結果に基づく情報を対応付けて記憶する機能と、
を実現するプログラム。
【発明の詳細な説明】
【技術分野】
【０００１】
本発明は、撮影対象物を撮影し、撮影画像を取り込む画像撮影装置及びその撮影データを処理するデータ処理装置に関する。
【背景技術】
【０００２】
近年、バーコード等によるタグの代わりに、ＲＦＩＤ（Radio Frequency ID）等による電子タグが普及してきており、それに伴ない、電子タグを用いた様々な物品の管理システムの提案が為されている。
【０００３】
例えば特許文献１には、物品やサービスにデータ形式が統一されたＩＤが記憶されている電子タグを取り付けておき、新たな商品やサービスをデータベースに登録したり、種々のサービスを行なう際に、この電子タグから情報を読み取り、この情報をデータベースに登録するのに用いたり、ネットワーク上に配信したりすることによって、物品やサービスの管理を行なっている。
【０００４】
特開２００２−１５０２４１号公報（段落［０００９］、［００４６］〜［００４８］、図１）
【発明の開示】
【発明が解決しようとする課題】
【０００５】
上記したように、電子タグを用いて物品やサービスの管理を行なうものは、現在多様なものが提案されている。しかしながら、現在提案されている電子タグを用いた管理の仕方には、電子タグ内の情報と、電子タグが貼付された商品やサービスに関連する撮影画像を対応付けて管理するものは無かった。
【０００６】
本発明は、物品等を撮影時に、撮影対象物に対する管理チェックを行ない、その結果を報知することが出来る技術を提供することを課題とする。
また、物品等を撮影すると、この撮影画像と共に電子タグから読み出した撮影物に対する情報を提供することが出来る技術を提供することを課題とする。
【０００７】
更に物品を撮影する際に電子タグから情報を読み取り、読み取った情報と撮影した画像の関連付けを実現する技術を提供することを課題とする。
【課題を解決するための手段】
【０００８】
上記問題点を解決する為、本発明による画像撮影装置は、撮影手段、電子タグ読み出し手段、報知手段及び画像記憶手段を備える。
撮影手段は、撮影対象物を撮影する。
【０００９】
電子タグ読み出し手段は、電子タグが記憶している電子タグ情報を読み出す。
報知手段は、前記電子タグ読み出し手段が読み出した電子タグ情報を用いて管理チェックを行ない、結果を報知する。
【００１０】
画像記憶手段は、前記撮影手段による撮影画像の画像データ、前記電子タグ読み出し手段が読み出した前記電子タグ情報、及び前記管理チェックの結果に基づく情報を対応付けて記憶する。
【００１１】
この構成により、電子タグから読み出した電子タグ情報によって、電子タグが貼付されている撮影対象物の管理チェックを行ない、結果を使用者に通知することが出来る。
また前記管理チェックの対象となる物品の識別情報を記憶する商品テーブル記憶手段を更に備え、前記報知手段は、読み出した前記電子タグ情報内の識別情報に対応する識別情報が前記商品テーブル記憶手段に記憶されていたとき、前記管理チェックを行なう構成としても良い。
【００１２】
これにより、商品テーブル記憶手段に予め登録されている物品のみを管理チェックの対象とすることが出来る。
また、本発明は、画像撮影装置内で実行されるプログラムもその範囲に含む。
【発明の効果】
【００１３】
本発明によれば、撮影時に電子タグから読み出したその物品に対する情報やその情報によって管理チェックを行ない、結果を使用者に通知することが出来る。
また撮影した画像データには、撮影時に電子タグから読み出した情報やチェック結果を示す情報を関連付けられて記憶することが出来、後日管理情報としてデータを処理する際にも、容易にデータの加工やデータベース化を行なうことが出来る。
【発明を実施するための最良の形態】
【００１４】
以下に本発明に係る一実施形態を図面を参照しながら説明する。
本実施形態では、管理対象となる物品に対する種々の情報を電子タグ情報として記憶した電子タグを付加する。そして、電子カメラ等の画像撮影装置で撮影する際に、この電子タグから電子タグ情報を読み出し、この読み出した電子タグ情報に基づいて種々の管理チェックを行ない、結果を撮影者に通知する。また画像撮影装置によって画像を撮影すると、撮影画像と電子タグ情報やチェック結果を関連付けて保存することが出来る。このような技術を用いて、例えば物流や在庫の管理において、商品の期限管理を行なうことが出来る。これにより、後日撮影画像を表示する際には、撮影時に読み出した電子タグ情報やチェック結果も共に見ることが出来、また関連付けられているので電子処理を行なう際にも処理しやすい。
【００１５】
図１（ａ）は、本実施形態で商品撮影に用いられる画像撮影装置の概略図である。
同図の画像撮影装置１には、タグリーダ／ライタ２及びモードスイッチ６を備えている点を特徴としている。
【００１６】
このうちモードスイッチ６は、連動モードのＯＮ／ＯＦＦを切り替えるもので、このモードスイッチ６が連動モードＯＦＦとなっている場合には、画像撮影装置１は、カメラ等の通常の画像撮影装置として機能し、モードスイッチ６がＯＮにセットされ連動モードに設定されているときは、以下に示すような撮影対象物が持つ電子タグ内の電子タグ情報を読み出して、この電子タグ情報を用いた管理チェックを行ない、またこの電子タグ情報やチェック結果を撮影画像と共に保存、管理する処理を行なう。
【００１７】
またタグリーダ／ライタ２は、電子タグから電子タグ情報を読み出したり、情報を書き込んだりするものである。尚タグリーダ／ライタ２は、画像撮影装置１によって撮影する撮影対象が持つ電子タグのみと電波による交信を行なうため、撮影レンズ３が向いている方向への指向性を持った電波の送受信を行なうよう構成されている。
【００１８】
図１（ｂ）に、タグリーダ／ライタ２が備える送受信アンテナの一例を示す。
同図の送受信アンテナ２１は、撮影レンズ３の方向の逆側及び左右両側をシールド板２２によって覆うことにより指向性を持たせており、撮影レンズ３側の方向にある撮影対象が持つ電子タグに対して電波の送受信を行なうよう構成されている。尚同図のアンテナの構成は一例であり、他の構成によって指向性を持たせてもよい。また、アンテナを撮影レンズ３近傍に設けたり、短波帯やマイクロ波帯等の高周波数帯の送受信電波を用いて指向性を高めたり、電界強度を測定することによって対象を特定するようにしてもよい。
【００１９】
図１（ａ）の画像撮影装置１は、モードスイッチ６が連動モードＯＮに設定された状態でシャッターボタン５を半押し状態に操作されると、タグリーダ／ライタ２は撮影レンズ３が向いている方向に対して電波を発信する。そして、物品に付加されている電子タグから応答の電波を受信し、得られた電子タグ情報を記憶する。またこの電子タグ情報を元にした管理チェックの結果等の通知を撮影レンズ３によって写されているスルー画像と共に不図示の表示部に表示する。そしてこの状態でシャッターボタン５が全押しされると、画像が取り込まれて撮影が行なわれると共に撮影画像と電子タグから読み出した電子タグ情報が関連付けられて記憶される。
【００２０】
図２は、図１の画像撮影装置１の内部構成例を示すブロック図である。
同図の例では画像撮影装置１は、Ａ／Ｄ変換器１３、画像処理部１５、入出力制御部１６、画像処理用メモリ１９、電子タグ用メモリ２０、画像メモリ２３、通信インタフェース２４、メモリカードインタフェース２５及びタグリーダ／ライタ２８がバスライン２９によって接続され、バスライン２９によって互いにデータをやり取りできるように構成されている。
【００２１】
レンズ１０は、ガラスまたはプラスチックよりなる光学レンズ及びその駆動装置からなり、撮影制御部１４からの制御指示によって光軸方向に駆動して焦点合わせを行なったり、ズーム機能を実現したりする。ＣＣＤ１１は、光信号を電気信号に変換するもので、レンズ１０を介して結像された被写体の光学像を光電変換し、被写体の光学像に応じたアナログの撮像信号を出力する。撮像プロセス１２は、撮影制御部１４からの制御指示指示があると、ＣＣＤ画像記録装置１１から入力されたアナログ信号を増幅し、サンプリングしてＡ／Ｄ変換器１３に出力するものである。Ａ／Ｄ変換器１３は、撮影制御部１４から入力されたアナログ信号をデジタル信号に変換するものである。撮影制御部１４は、画像撮
影装置１による画像の撮影処理の制御を司るもので、内部に記憶したプログラムを実行することにより、レンズ１０を制御して焦点合わせやズーム機能を実現したり、ＣＣＤ１１や撮像プロセス１２を制御して撮影画像の画像データを画像メモリに記録する等の撮影機能を実現する。画像処理部１５は、撮影を行なう際に、Ａ／Ｄ変換器１５からの出力に対して、事前に設定されている種々の撮影条件を考慮した画像処理を行なった後、圧縮処理を行ない撮影画像の画像データを生成する。また画像処理部１５は、Ａ／Ｄ変換器１３から出力されるスルー画像の画像データに電子タグ用メモリ２０内の情報や管理チェックの結果を合成した画像の画像データを画像処理用メモリ１９に生成する。
【００２２】
入出力制御部１６は、内部に記憶したプログラムを実行することにより、使用者が入力部１７を操作して行なった入力指示に対する各種処理や表示部１８で表示するスルー画像や各種情報を表示する為の処理制御を行なうものである。入力部１７は、使用者が操作入力を行なうためのスイッチ等で、シャッターボタン、電源キー、モード選択キー、十字キー、決定キー等の複数の操作キーを含む構成となっており、使用者によるキー操作に応じたキー入力信号を入出力制御部１６に出力する。表示部１８は、カラーＬＣＤとその駆動回路とを有し、ＣＣＤ１１によって撮像された被写体画像をスルー画像として表示したり、画像メモリ２３やメモリカードに記憶されている撮影画像を表示する。画像処理用メモリ１９は、画像処理部１５が画像処理を行なった画像データを格納するメモリで、入出力制御部１６は、この画像処理用メモリ１９内の画像データに基づいて表示部１８による表示を行なったり、撮影画像の画像データを画像メモリ２３に格納する。電子タグ用メモリ２０は、タグリーダ／ライタ２８が電子タグから読み出した情報を記憶するメモリである。画像メモリ２３は、画像撮影装置１によって撮影された複数の撮影画像のデータが記憶されるメモリである。通信インタフェース２４は、外部機器やネットワークと接続してデータの授受を行なうインタフェースである。メモリカードインタフェース２５は、画像データを保存するメモリカードをマウントするインタフェースで、使用者の指示に基づいて入出力制御部１６は、画像メモリ２３内の画像データをメモリカードインタフェース２５がマウントしているメモリカードへ転送する。タイマ２６は、日時を計時するもので、入出力制御部１６は、このタイマ２６によって計時されている日時をシステム日時とする。テーブル用メモリ２７は、後述する商品テーブルを記憶するメモリである。尚このテーブル用メモリ２７、画像処理用メモリ１９及び電子タグ用メモリ２０は、それぞれ別のメモリとして構成しても、これらを１つのメモリ上に領域を分けて構成してもよい。
【００２３】
タグリーダ／ライタ２８は、入出力制御部１６からの指示によって電子タグに対するアクセスを行なうもので、制御部２８１、メモリ２８２、送受信部２８３及びアンテナ２８４を備えている。
【００２４】
入出力制御部１６から電子タグの読み出し／書き込み指示があると、制御部２８１は、送受信部２８３に電波を送信させ、応答として受信した電波を送受信部２８３でデジタルデータに変換後、メモリ２８２に記憶する。また入出力制御部１６から電子タグから読み出したデータを要求されると、制御部２８１は、メモリ２８２に記憶されているデータを電子タグ用メモリ２０に転送する。
【００２５】
図３は、画像撮影装置１によって撮影される撮影対象物に付加される電子タグ内に記憶され、タグリーダ／ライタ２８によって読み出し可能な電子タグ情報の構成例を示す図である。
【００２６】
電子タグ内には、電子タグ情報としてＩＤコード３１及び商品情報３２が記憶されている。画像撮影装置１のタグリーダ／ライタ２８からの電波を受けると電子タグは、このＩＤコード３１と商品情報３２を応答として電波によって返信する。
【００２７】
ＩＤコード３１は、各電子タグを一意に識別する識別子である。商品情報３２は、この電子タグが付加された物品に対する種々の情報を示すもので、商品名、商品コード、製造番号、製造元特定情報等その商品を特定する情報である。そして本実施形態では電子タグが付加された物品が画像撮影装置１によって撮影されると、この撮影画像の付加情報として商品情報３２が共に格納され、この商品情報を元に後述する商品テーブルを参照して、参照結果に基づいた通知をユーザに対して行なう。
【００２８】
尚ＩＤコード３１に商品番号や商品名と対応した番号を付けることによって、ＩＤコード３１が製品特定情報を兼ねるようにしてもよい。
図４は、画像撮影装置のテーブル用メモリ２７に記憶される商品テーブルの構成例を示す図である。
【００２９】
商品テーブルは、本実施形態の画像撮影装置が管理する商品が登録されるテーブルで、画像撮影装置は、電子タグから読み出した電子タグ情報によってこのテーブルを参照し、商品テーブルに登録されている商品を管理対象とする。尚テーブル用メモリ２７内の商品テーブルは、通信インタフェース２４を介して外部から入力されるデータによって、適宜に更新される。
【００３０】
図４の例では、商品テーブルには、管理対象となる商品に対する商品情報及び管理情報が記憶されている。このうち商品情報は管理対象となる商品を特定する為の情報で、図４の例では、その商品の商品名、商品の種類を特定する商品コード、製造番号、製造所固有記号等の製造元特定情報が商品情報として記憶されている。また管理情報は商品の管理に用いる情報で、管理対象となる商品に対する管理チェックに用いる管理チェック情報及びその管理チェック情報の種類を表わす情報が記憶されている。同図の例では、管理情報として、賞味期限をチェック対象とし、その商品の賞味期限が２００４年４月１日１７時であることが記憶されている。
【００３１】
画像撮影装置１では、シャッターボタン５が半押し状態に操作されて、電子タグから電子タグ情報を読み出すと、この商品テーブルに電子タグ情報内の商品情報に対応するものが記録されているか否かを調べ、記録されていた場合には、その商品を管理対象とする。そして商品テーブルのチェック内容に対応する管理チェックを管理チェック情報を用いて行ない、結果を使用者に報知する。例えば、チェック内容が賞味期限であった場合には、管理チェック情報として記憶されている賞味期限日時とタイマ２６によって計時されているシステム日時を比較し、賞味期限を過ぎているか否か、賞味期限までの残り期間等をチェック結果として使用者に報知する。
【００３２】
図５は、画像メモリ２３内に記憶されている撮影画像についてのデータの構成例を示す図である。
画像メモリ２３には、画像撮影装置１によって撮影された複数の撮影画像についてのデータが記憶されている。このデータには画像情報と電子タグ情報があり、画像撮影装置１によって撮影された撮影画像についての情報である画像情報は、連動モードによって撮影された場合電子タグから読み出した電子タグ情報と対応付けられて画像メモリ２３内に記憶される。
【００３３】
この画像メモリ２３内のデータは、販売店やショールーム等で商品の管理を行なっているデータ処理装置に、メモリカードインタフェース２５にマウントされているメモリカードを介して読み込まれたり、或いは通信インタフェース２４によるネットワーク通信によって送られる。そしてこのデータは、データ処理装置上において、管理情報としてデータベース化して記録、管理される。
【００３４】
図５の構成例では、１つの撮影画像に対するデータには、ＪＰＥＧ等の撮影画像の画像データ５１の他に属性情報５２として撮影日時や撮影時の設定（ホワイトバランス、シャッタースピード、絞り等）等が記憶されている。また撮影時にモードスイッチ６がＯＮにセットされていたときは、この属性情報５２には電子タグから読み出したＩＤコードから生成した電子タグの識別子が含まれている。
【００３５】
また電子タグ情報としては、ＩＤコードから生成された識別子５３、電子タグが付加されている商品を特定する商品情報（商品名、商品コード、製造番号等）５４及び製造年月日等の管理チェック情報やそのチェック結果である管理情報５５が記憶されており、この電子タグ情報と画像情報は属性情報５２内の識別子と識別子５３によって関連付けられている。
【００３６】
このようなデータ構成で格納されている画像メモリ２３内のデータは、メモリカードインタフェース２５にマウントされているメモリカードや通信インタフェース２４を介して販売店等のデータ処理装置に読み込まれる。そして、このデータに基づいて撮影画像を表示を行なうと、対応付けられている商品情報５４や管理情報５５内の情報も撮影画像と共に表示される。またこのデータは、管理情報としてデータベース化して登録される。
【００３７】
次に画像撮影装置１及びデータ処理装置の使用例及びその動作を説明する。
販売店やショールーム等において、使用者が陳列されている商品や展示品に対して画像撮影装置１を向け、シャッターボタンを半押しにすると、画像撮影装置１は、商品等に付加されている電子タグから電子タグ情報を読み出す。そしてこの電子タグ情報に基づいてその商品（展示品）についての管理チェック、例えば賞味期限や展示期間のチェック等を行ない、画像撮影装置１の表示部に表示する等の方法によって結果を使用者に対して通知する。
【００３８】
またシャッターボタンを全押しにすると、画像が撮影され、この撮影画像のデータはタグ情報やチェック結果と関連付けて記憶される。これにより画像データとその撮影物のチェック管理の結果が対応付けられた形でデータが記憶され、これを後日管理情報としてデータベース等に登録することが出来る。そして例えば、期限の近いものをデータベースから抽出して出力する、また、その他のデータ処理にリンクするようにしてもよい。
【００３９】
図６及び図７は、画像撮影装置１のシャッターボタン５を半押し状態にしたときの画像撮影装置１の動作処理を示すフローチャートである。画像撮影装置１は、シャッターボタン５を半押し状態にされると、タグリーダ／ライタ２８から電波を送信し、撮影レンズ３の方向にある電子タグから情報の読み出しを行ない、読み出した電子タグ情報に基づいて撮影対象としている物品の管理チェックを行なう。同図の処理では、この管理チェックの内容として物品の賞味期限等の期限のチェックを行なっている。
【００４０】
尚同図の処理は、入出力制御部１６が自己の内部メモリに記憶されているプログラムを実行することによって実現される。
使用者によって、シャッターボタン５が半押し状態にされると本処理は開始され、入出
力制御部１６は、まず初期化処理として画像処理用メモリ１９をクリアし（ステップＳ１）、次に電子タグ用メモリ２０をクリアする（ステップＳ２）。
【００４１】
次に入出力制御部１６は、ステップＳ３として画像処理用メモリ１９へＡ／Ｄ変換器１３から出力される画像データを取り込む。そしてステップＳ４としてこの画像データを元に表示部１８にスルー画像を表示する。
【００４２】
次に入出力制御部１６は、ステップＳ５として、モードボタン６の設定状態を調べる。その結果、モードスイッチ６がＯＦＦにセットされ連動モードに設定されていなければ（ステップＳ６、Ｎ）、画像撮影装置１は撮影対象物が持つ電子タグ内の電子タグ情報の読み出しを行なわないので本処理を終了する。
【００４３】
ステップＳ６において、モードボタン６がＯＮにセットされ連動モードに設定されていれば（ステップＳ６、Ｙ）、入出力制御部１６は、タグリーダ／ライタ２８に電子タグから電子タグ情報の読み出しを行なわせる。その結果、撮影象物が電子タグを有していない等、情報を読み出せなかったときは（ステップＳ７、Ｎ）、本処理を終了する。
【００４４】
ステップＳ７において、電子タグから電子タグ情報を読み出すことが出来たときは（ステップＳ７、Ｙ）、ステップＳ８としてその情報をタグリーダ／ライタ２８のメモリ２８２から電子タグ用メモリ２０に転送して記憶させる。また入出力制御部１６は、ステップＳ９として電子タグから読み出したＩＤコードを元に電子タグの識別子を生成し、画像処理用メモリ１９へ記憶する（ステップＳ１０）。
【００４５】
次に入出力制御部１６は、図７のステップＳ１１として、読み出した電子タグ情報内の商品情報を用いてテーブル用メモリ２７内の商品テーブルを検索し、その商品が管理対象となっているかを調べる。その結果、商品テーブル内に同じ商品情報に対応する情報が登録されていなければ（ステップＳ１２、Ｎ）、現在撮影しようとしている物品は管理対象としている商品ではないので、ステップＳ１３として該当商品が無い旨を表示部１８に表示する等して使用者に通知後、本処理を終了する。
【００４６】
ステップＳ１２において、商品テーブル内に同じ商品情報に対応する情報が登録されていれば（ステップＳ１２、Ｙ）、ステップＳ１４として、表示部１８にその商品情報をスルー画像と共に表示する。
【００４７】
次に入出力制御部１６は、ステップＳ１５としてタイマ２６からシステム日時を読み出し、管理チェックとしてテーブル内の賞味期限や展示期限等の管理を行なう期限日時との比較を行なう（ステップＳ１６）。その結果既に期限日時を過ぎていた場合（ステップＳ１７、Ｙ）、ステップＳ１８として表示部１８に表示する等の手段によって期限日時及びその超過期間を使用者に報知し、期限日時を過ぎていなかった場合（ステップＳ１７、Ｎ）、ステップＳ１９として期限日時及び期限日時までの残りの期間を使用者に報知する。
【００４８】
そして入出力制御部１６は、ステップＳ１９として、賞味期限等の期限日時までの期間を電子タグから読み出した電タグ情報と対応付けて電子タグ用メモリ２０に記憶し、本処理を終了する。
【００４９】
このように、本実施形態による画像撮影装置では、撮影を行なう前に物品に付加された電子タグから情報を読み出し、この情報に基づいた管理チェックを行ない、結果を使用者に通知することが出来る。よってこの通知に基づいて、商品を陳列棚から除く等の対処処理を行なうことが出来る。
【００５０】
尚上記例では、管理チェックの結果としてステップＳ１８，Ｓ２０で期限日までの日時を通知していたが、例えば期限日まで３回以内のもののみ、期限が過ぎてしまったもののみ等、特定の条件に該当するもののみ通知するようにしても良い。
【００５１】
図８は、画像の撮影時に画像撮影装置１内で行なわれる動作処理を示すフローチャートである。同図の処理も、入出力制御部１６が自己の内部メモリに記憶されているプログラムを実行することによって実現される。
【００５２】
本処理は、使用者によってシャッターボタン５が全押しされると開始され、ステップＳ２１として入出力制御部１６は、撮像制御部１４に対して撮影を指示し、撮像制御部１４は、画像処理部１５によってＡ／Ｄ変換器１３からの出力データに対してホワイトバランス等設定されているパラメータによって補正を加えた後に圧縮を行なって画像データを生成して画像処理用メモリ１９に格納する。そして入出力制御部１６は、この画像データを画像処理用メモリ１９から画像メモリ２３へ転送して記憶する。
【００５３】
次に入出力制御部１６は、その撮影画像に対して、図６のステップＳ１０で識別子が生成されて画像処理用メモリ１９に格納されているかどうかを判断し、識別子が生成されていれなければ（ステップＳ２２、Ｎ）、モードスイッチ６はＯＦＦにセットされており、電子タグ情報の読み出しは行なわれていないので、本処理を終了する。
【００５４】
ステップＳ２２で、識別子が生成されていれば（ステップＳ２２、Ｙ）、電子タグから読み出した情報と撮影画像を関連付けて記憶するので、この識別子と共に電子タグ用メモリ２０内の商品情報や管理チェックの結果を画像メモリ２３に保存する（ステップＳ２３）。
【００５５】
次に入出力制御部１６は、ステップＳ２４としてタグリーダ／ライタ２８を用いて電子タグに対して再度情報を読み出して照合を行なう。そしてタイマ６から日時情報を読み出し（ステップＳ２５）、これをステップＳ２６として画像撮影装置１のＩＤコードと共に電子タグに書き込んだ後本処理を終了する。尚ステップＳ２６で電子タグに書き込んだ日時情報やＩＤコードは、後日、撮影対象物となった商品がいつどの画像撮影装置１によって撮影が為されたかを調べる等の目的で用いられる。
【００５６】
この図８の処理により本実施形態の画像撮影装置では、撮影した画像の画像データと、撮影対象物が持つ電子タグから読み出した電子タグ情報を対応付けて記録することが出来る。
【００５７】
このように、本実施形態の画像撮影装置によれば、撮影時に電子タグから読み出したその物品に対する情報やその情報によって管理チェックを行ない、結果を使用者に通知することが出来る。また撮影した画像データには、撮影時に電子タグから読み出した情報やチェック結果を示す情報を関連付けられて記憶することが出来、後日管理情報としてデータを処理する際にも、容易にデータの加工やデータベース化を行なうことが出来る。
【００５８】
尚本実施形態の画像撮影装置は、単体の装置としてのみだけでなく、他の装置の一部として構成してもよい。
また本実施形態では、物品に付加した電子タグから読み出した電子タグ情報を撮影画像と対応付けて保存、管理しているが、電子タグ情報を物品に対して録音した音声データや動画像データ、文字データ等と対応付けて保存、管理したり、静止画像と音声データ等、これらのデータの内の複数のものと対応付けて保存、管理してもよい。
【００５９】
更に本実施形態では、管理チェックの結果を表示部に表示して使用者に報知していたが、他の方法例えば音声によって報知する構成としても良い。
また本実施形態では、商品テーブルに賞味期限等の管理チェックに用いる情報を記憶する構成としてが、電子タグから読み出される電子タグ情報内に記憶する構成としても良い。またこのとき、商品テーブルはテーブル構成とせずに、管理対象となる商品を特定する為の１種類の情報を記憶する構成としても良い。
【００６０】
更に商品テーブルは、画像撮影装置内部に記憶するのではなく、読み出した通信回線を用いて、電子タグ情報によって画像撮影装置外部に問い合わせて管理チェックを依頼する構成としても良い。
【図面の簡単な説明】
【００６１】
【図１】（ａ）は本実施形態の画像撮影装置の概略図、（ｂ）はタグリーダ／ライタが備える送受信アンテナの一例を示す図である。
【図２】画像撮影装置の内部構成例を示すブロック図である。
【図３】撮影対象物に付加される電子タグ内に記憶されている電子タグ情報の構成例を示す図である。
【図４】画像撮影装置のテーブル用メモリに記憶される商品テーブルの構成例を示す図である。
【図５】画像メモリ内に記憶されている撮影画像についてのデータの構成例を示す図である。
【図６】シャッターボタンを半押し状態にしたときの画像撮影装置の動作処理を示すフローチャート（その１）である。
【図７】シャッターボタンを半押し状態にしたときの画像撮影装置の動作処理を示すフローチャート（その２）である。
【図８】画像の撮影時に画像撮影装置内で行なわれる動作処理を示すフローチャートである。
【符号の説明】
【００６２】
１              画像撮影装置
２              タグリーダ／ライタ
３              撮影レンズ
５              シャッターボタン
６              モードスイッチ
１０            レンズ
１１            ＣＣＤ
１２            撮像プロセス
１３            Ａ／Ｄ変換器
１４            撮影制御部
１５            画像処理部
１６            入出力制御部
１７            表示部
１８            出力部
１９            画像処理用メモリ
２０            電子タグ用メモリ
２１            送受信アンテナ
２２            シールド板
２３            画像メモリ
２４            通信インタフェース
２５            メモリカードインタフェース
２６            タイマ
２７            テーブル用メモリ
２８            タグリーダ／ライタ
２９            バスライン
【図１】
2005223861.tif 000003
【図２】
2005223861.tif 000004
【図３】
2005223861.tif 000005
【図４】
2005223861.tif 000006
【図５】
2005223861.tif 000007
【図６】
2005223861.tif 000008
【図７】
2005223861.tif 000009
【図８】
2005223861.tif 000010